(57)【要約】【課題】  建物のコンクリートの壁に鉄筋等を挿着して固着するための穿穴を形成する穿穴具のパイプ状部材の先端に設けられるダイヤモンドビットをその内壁形状の異なるものとし、穿穴性の向上、湿式や乾式でも対応でき、穿穴の穴の鉄筋の固持も優れ、廃材の取り出しは簡単にできる簡便構造の穿穴具用のダイヤモンドビット構造を提供する。【解決手段】  中空のパイプ状部材３の先端に固着されるダイヤモンドビット１はその内壁の一部又は全体の寸法が異なるものからなる。これにより、穿穴性の向上等の効果を上げることができる。【選択図】  図１
2009262458.tif 000002
【特許請求の範囲】
【請求項１】
コンクリート等の被穿穴体の鉄筋等の部材の打ち込み用穴を湿式及び乾式に穿穴する穿穴具のパイプ状部材の先端に固着されるダイヤモンドビット構造であって、該ビット構造は、その外径が一定寸法であるが、内壁の形状が部分的又は全体にわたり不均一のものからなることを特徴とする穿穴具用のダイヤモンドビット構造。
【請求項２】
前記内壁の一部が前記パイプ状部材の内径と一致する位置に形成されることを特徴とする請求項１に記載の穿穴具用のダイヤモンドビット構造。
【請求項３】
前記ビット構造が、複数個のビット片を前記パイプ状部材の円周に沿って配設したものからなることを特徴とする請求項１又は２に記載の穿穴具用のダイヤモンドビット構造。
【請求項４】
前記内壁の形状が、弧状、偏芯状、角状、段付状のものからなることを特徴とする請求項１又は２に記載の穿穴具用のダイヤモンドビット構造。
【発明の詳細な説明】
【技術分野】
【０００１】
本発明は、コンクリートのような被穿穴体に部材例えば鉄筋を打ち込むための穴を穿穴する穿穴具の先端に設けられるダイヤモンドビットに係り、特に、湿式又は乾式で穿穴でき、穿穴効率がよく、穿穴されて穿穴具内に残る廃材の排出除去が簡単にでき、かつ高速穿穴ができると共に前記被穿穴体に形成される穿穴の前記部材（鉄筋）の固持が確実に行われる穿穴具用のダイヤモンドビット構造に関する。
【背景技術】
【０００２】
例えば、建物のコンクリートには施工後に補強としての鉄筋等が打ち込まれ、このため鉄筋打ち込み用の穴を穿穴する必要があり、例えば、図１１（ａ）に示すように穿穴具２が使用される。この穿穴具２は図示のように細長のパイプ状部材３とこの基端側に設けられて駆動モータ４に螺着される取付け部５等とからなり、パイプ状部材３の先端にはダイヤモンドビット１Ａが固着されている。このダイヤモンドビット１Ａは図１１（ｂ）に示すように外径ｄで内径２Ｒの同心円状のリング状のものからなり、その内径寸法Ｒは一定のものからなる。
なお、ダイヤモンドビットに関する公知技術として例えば、「特許文献１」等がある。
【特許文献１】特開２００７−９０５６５号（図１）
【発明の開示】
【発明が解決しようとする課題】
【０００３】
図１１（ａ），（ｂ）に示した穿穴具２により図１２（ａ）に示すようにコンクリート６を穿穴すると、パイプ状部材３の内部に穿穴によって生じた棒状の廃材７が残存する。この廃材７は当然取り出し除去しないと次の穴の穿穴ができない。しかしながら、この廃材７はパイプ状部材３の内壁に比較的じっくりと嵌り込んだ状態となり、これをダイヤモンドビット１Ａ側から引き出すことは中々出来ない。よって、図１２（ｂ）に示すように、取付け部５を駆動モータ４側から取り外して、取付け部５側から廃材７を引き出して除去していた。このために、その都度、パイプ状部材３を取り外さなければならない問題点があった。
【０００４】
「特許文献１」の「特開２００７−９０５６５号」の「ドリル用コアビット」は前記の問題点を解決する公知技術の１つであり、後に説明する本発明と似ている点もあり廃材をダイヤモンドビット（この公知技術では研削砥石６）側から引き出すことができる利点があるが、次のような特別に限定された構成からなり、本発明とは構成効果において大きく相違するものである。
【０００５】
即ち、「特許文献１」の「特開２００７−９０５６５号」は、研削砥石（ダイヤモンド砥石）が２つ割り又は４つ割りのものからなり、その一方側の内径が他方側の内径と異なる点に構成上の特徴を有するものである。即ち、この発明の前記研削砥石は円状又は略半円状の２つの研削刃部（４つの場合もあり、「００２３」に記載されている）に限定するものであり、しかもその内径はその（図４）や（図５）等に示すようにシャンク（２１）の内径よりも少なくとも小さいものからなる。また、その（請求項１）に記載されているように、この穿穴具は冷却剤を用いる湿式のものからなる。
【０００６】
「特許文献１」は以上のような限定的な構成からなるが、コンクリートの穿穴作業は湿式に限らず乾式の双方で行われることが便利であり、乾式の方が装置構成も簡便で済む長所がある。一方、ビット構造としては相対向するビットの内径が相異するものに限定する必要はなく、各種の形状のものが穿穴に効果的であることが本発明の発明者により実証されている。
【０００７】
本発明は、以上の従来技術の問題点の解決や公知技術の限定的構成を解決すべく発明されたものであり、廃材の取り出しが容易にでき、穿穴効率もよく、その内壁が穿穴物の内容や形状に適した各種の形状のものからなり、形状自由度も高いビット構造を提供でき、湿式及び乾式の両面に適用できる穿穴具用のダイヤモンドビット構造を提供することを目的とする。
【課題を解決するための手段】
【０００８】
本発明は、以上の目的を達成するために、請求項１の発明は、コンクリート等の被穿穴体の鉄筋等の部材の打ち込み用穴を湿式及び乾式に穿穴する穿穴具のパイプ状部材の先端に固着されるダイヤモンドビット構造であって、該ビット構造は、その外径が一定寸法であるが、内壁の形状が部分的又は全体にわたり不均一のものからなることを特徴とする。
【０００９】
また、請求項２の発明は、前記内壁の一部が前記パイプ状部材の内径と一致する位置に形成されることを特徴とする。
【００１０】
また、請求項３の発明は、前記ビット構造が、複数個のビット片を前記パイプ状部材の円周に沿って配設したものからなることを特徴とする。
【００１１】
また、請求項４の発明は、前記内壁の形状が、弧状、偏芯状、角状、段付状のものからなることを特徴とする。
【発明の効果】
【００１２】
本発明の請求項１の穿穴具用のダイヤモンドビット構造によれば、ビットの内壁の形状を部分的又は全体にわたり不均一のものにすることにより、穿穴中に穿穴具が振動し、効率的な穿穴ができ、パイプ状部材の内部に残存する廃材が内壁側に固持されず、結果としてビット側からの取り出しができ、更に湿式に限らず乾式の穿穴ができ、内壁形状の自由度も高く、被穿穴体の形態に適したビット形状の選択ができ、かつ穿穴された穴の壁も凹凸が残り、後に挿入される鉄筋等の部材の固持が確実にできる効果を上げることができる。
【００１３】
また、本発明の請求項２の穿穴具用のダイヤモンドビット構造によれば、内壁の一部がパイプ状部材の内径と一致するように形成されているため、極端な段付きがなくなり、前記効果を有すると共により円滑で低騒音の穿穴ができる。
【００１４】
また、本発明の請求項３の穿穴具用のダイヤモンドビット構造によれば、ビットが一体的構造のものに限らず複数個のビット片の集合からなるため目的や製作性を考慮し又これに適合したビット構造のものを採用することができる。
【００１５】
また、本発明の請求項４の穿穴具用のダイヤモンドビット構造によれば、内壁の形状が各種の自由度の高いものからなり、目的に応じたビット構造の選定ができ、より効率的な穿穴ができる効果を上げることができる。
【発明を実施するための最良の形態】
【００１６】
以下、本発明の穿穴具用のダイヤモンドビット構造の実施の形態を図面を参照して詳述する。なお、以下の説明はダイヤモンドビットについてのみ記載するものであるが、このダイヤモンドビットの固定される穿穴具としては任意の形状のものでよく、かつ湿式のものに限らず乾式のものにも適用可能である。なお、これ等の構造説明は公知技術の１つであり、説明を省略する。
【実施例１】
【００１７】
図１（ａ）に示すように、この実施例のダイヤモンドビット１は一体的の構造のものからなり、その内壁の半径Ｒが内壁の一部分においては一定であるが、残りの他部分（残りの部分が１つとは限らず複数箇所の場合も含む）の半径Ｒが前記の一部分のものと相異するものからなる。このダイヤモンドビット１は図（ａ），（ｂ）に示すようにその外径は一定のｄ1であるが、外径ｄ1がパイプ状部材の外径ｄよりも大径のものからなる。但し、図１（ｃ）に示すように外径（ｄ2で示す）がパイプ状部材の外径ｄと同一のものであってもよい。
【実施例２】
【００１８】
このダイヤモンドビット１ａはその内径の半径が内壁の全周にわたり変化する偏芯状（楕円状，グランド状等）のものからなる。
【実施例３】
【００１９】
図３に示すこの実施例のダイヤモンドビット１ｂは図１，図２に示したものと似ている形状のものからなるが、内壁の一部がパイプ状部材３の内径と部分的に（図では２箇所）一致しているものからなる。また、図４に示すダイヤモンドビット１ｃは内壁の一箇所がパイプ状部材３の内径と一致しているものを示す。
【実施例４】
【００２０】
図５に示すダイヤモンドビット１ｄは、２つ割りのダイヤモンドビット偏１ｄ−１と１ｄ−２とからなり、図３のものと分割以外の形状においてはほぼ同一のものからなる。また、図６に示したダイヤモンドビット１ｅは２つ割りのもの１ｅ−１，１ｅ−２からなるが、図４に示したものと分割以外の形状においてはほぼ同一のものからなる。
【実施例５】
【００２１】
図７に示すダイヤモンドビット１ｆは複数個のダイヤモンドビット片１ｆ−１をパイプ状部材３の円周に沿って配置したものであり、その構造としては前記実施例１乃至４に記載した内容のものを含んだものからなる。図７はダイヤモンドビット片１ｆ−１の１つがパイプ状部材３の内径と一致する内壁を有するものであるが、勿論、これに限定するものではない。
【実施例６】
【００２２】
図８，図９，図１０のダイヤモンドビット１ｇ，１ｈ，１ｉは内壁の形状が角状のもの、段付きのものからなり、その内壁の詳細形状やパイプ状部材３の内径との一致性や角状や段付状の数や分割形態については夫々示されていないが、各種のものが適用されることは勿論であり、ここでの詳細説明は省略する。
【００２３】
以上において各種形態，形状のダイヤモンドビットについて説明したが、勿論以上のものに限定するものでなく、同一技術的範疇のものが適用されることは勿論である。
【産業上の利用可能性】
【００２４】
本発明は、ダイヤモンドビットを設けた棒状の穿穴具のすべてに適用可能であり、その利用範囲は極めて広い。
【図面の簡単な説明】
【００２５】
【図１】本発明の穿穴具用のダイヤモンドビット構造の一実施例を示す平面図（ａ）及びその正面図（ｂ），（ｃ）。
【図２】本発明の他の実施例の平面図。
【図３】本発明の他の実施例の平面図。
【図４】本発明の他の実施例の平面図。
【図５】本発明の２つ割りのダイヤモンドビットの実施例を示す平面図。
【図６】本発明の２つ割りのダイヤモンドビットの実施例を示す平面図。
【図７】本発明の複数割りのダイヤモンドビットの実施例を示す平面図。
【図８】本発明の角状のダイヤモンドビットの実施例を示す平面図。
【図９】本発明の角状のダイヤモンドビットの実施例を示す平面図。
【図１０】本発明の段付状のダイヤモントビットの実施例を示す平面図。
【図１１】従来のダイヤモンドビットを固着した穿穴具の概要構造を示す正面図（ａ）及びそのダイヤモンドビットを示す平面図。
【図１２】従来のダイヤモンドビットを設けた穿穴具によるコンクリートの穿穴状態を示す模式的断面図（ａ）及びその場合の廃材の取り出しを説明するための断面図（ｂ）。
【符号の説明】
【００２６】
１        ダイヤモンドビット
１ａ      ダイヤモンドビット
１ｂ      ダイヤモンドビット
１ｃ      ダイヤモンドビット
１ｄ      ダイヤモンドビット
１ｄ−１  ダイヤモンドビット片
１ｄ−２  ダイヤモンドビット片
１ｅ      ダイヤモンドビット
１ｅ−１  ダイヤモンドビット片
１ｅ−２  ダイヤモンドビット片
１ｆ      ダイヤモンドビット（複数片）
１ｆ−１  ダイヤモンドビット片
１ｇ      ダイヤモンドビット（角状）
１ｈ      ダイヤモンドビット（角状）
１ｉ      ダイヤモンドビット（段付状）
２        穿穴具
３        パイプ状部材
４        駆動モータ
５        取付け部
６        コンクリート
７        廃材
１Ａ      ダイヤモンドビット
【図１】
2009262458.tif 000003
【図２】
2009262458.tif 000004
【図３】
2009262458.tif 000005
【図４】
2009262458.tif 000006
【図５】
2009262458.tif 000007
【図６】
2009262458.tif 000008
【図７】
2009262458.tif 000009
【図８】
2009262458.tif 000010
【図９】
2009262458.tif 000011
【図１０】
2009262458.tif 000012
【図１１】
2009262458.tif 000013
【図１２】
2009262458.tif 000014